(57)【要約】【課題】安価に製作することができ、大量保管に適し、しかも組立が容易な避難所用間仕切りを提供する。【解決手段】所定高さの複数枚の段ボールパネル１〜８からなる避難所用間仕切りである。隣接する段ボールパネルの垂直辺間を屈曲可能なテープによって表裏交互に連結し、使用時には段ボールパネルを開いて四角形状の間仕切りを形成可能とし、収納時には折り畳み可能とした。連結は表裏交互に行うと折り畳み易い。また段ボールパネルは一定幅の全幅パネルと、その半分幅の半幅パネルとを組み合わせることができる。【選択図】図１
0003177889.tif 000002
【実用新案登録請求の範囲】
【請求項１】
所定高さの複数枚の段ボールパネルからなる避難所用間仕切りであって、隣接する段ボールパネルの垂直辺間を屈曲可能なテープによって連結し、使用時には段ボールパネルを開いて四角形状の間仕切りを形成可能とし、収納時には折り畳み可能としたことを特徴とする避難所用間仕切り。
【請求項２】
隣接する段ボールパネルの垂直辺間を、表裏交互に連結したことを特徴とする請求項１記載の避難所用間仕切り。
【請求項３】
複数枚の段ボールパネルは一定幅の全幅パネルと、その半分幅の半幅パネルとからなるものであることを特徴とする請求項１または２記載の避難所用間仕切り。
【考案の詳細な説明】
【技術分野】
【０００１】
本考案は、段ボールパネルを利用した避難所用間仕切りに関するものである。
【背景技術】
【０００２】
地震その他の災害により自宅で生活できなくなった住民は、地域の避難所に集まって生活することを余儀なくされることがある。避難所としては体育館のような多人数を収容可能な建物が選ばれるが、避難民相互のプライバシーを確保するためには、家族単位の間仕切りが必要となる。
【０００３】
このような避難所用間仕切りとしては、既に多くの種類のものが使用されているが、単純なダンボールパネルを使用する場合には現場での連結や組み立てに手数を要し、資材の供給が不可能な緊急の際には、間仕切りを完成させるのが容易ではないという問題があった。
【０００４】
また、特許文献１に示されるように、繊維板に凸辺や篏合溝を形成し、容易に間仕切りを組み立てられるようにしたものも提案されているが、加工に手数がかかるためにコスト高となるため、大量に準備しておくことはできないという問題があった。
【先行技術文献】
【特許文献】
【０００５】
【特許文献１】特開２００８−７５３００号公報
【考案の概要】
【考案が解決しようとする課題】
【０００６】
従って本考案の目的は上記した従来の問題点を解決し、安価に製作することができ、大量保管に適し、しかも組立が容易な避難所用間仕切りを提供することである。
【課題を解決するための手段】
【０００７】
上記の課題を解決するためになされた本考案は、所定高さの複数枚の段ボールパネルからなる避難所用間仕切りであって、隣接する段ボールパネルの垂直辺間を屈曲可能なテープによって表裏交互に連結し、使用時には段ボールパネルを開いて四角形状の間仕切りを形成可能とし、収納時には折り畳み可能としたことを特徴とするものである。
【０００８】
なお請求項２のように、隣接する段ボールパネルの垂直辺間を、表裏交互に連結した構造とすることが好ましい。
【０００９】
また請求項３のように、複数枚の段ボールパネルは一定幅の全幅パネルと、その半分幅の半幅パネルとからなるものであることが好ましい。
【考案の効果】
【００１０】
本考案の避難所用間仕切りは、段ボールパネルの垂直辺間を屈曲可能なテープによって表裏交互に連結したものであるから、材料費が安価であり、大量に製作しておくことができる。また組み立てが容易であり、折り畳めば平面状になるので保管しておくにも好都合である。
【図面の簡単な説明】
【００１１】
【図１】第１の実施形態を示す平面図である。
【図２】折り畳み状態を示す斜視図である。
【図３】第２の実施形態を示す平面図である。
【図４】折り畳み状態を示す斜視図である。
【図５】第３の実施形態を示す平面図である。
【図６】折り畳み状態を示す斜視図である。
【考案を実施するための形態】
【００１２】
以下に本考案の実施形態を説明する。
図１は本考案の第１の実施形態を示す平面図であり、８枚の段ボールパネル１，２，３，４，５，６，７，８によって正方形の間仕切りが形成されている。各段ボールパネル１〜８は何れも高さが同一であり、例えば高さを１ｍ程度とすることができる。プライバシー確保の観点からは高さは高くすることが好ましく、逆に犯罪防止の観点からはあまり高くしない方が好ましい。
【００１３】
この実施形態では、各段ボールパネル１〜８は何れも同一幅であり、例えば１ｍである。段ボールパネル１と段ボールパネル２とは各垂直辺の外側を屈曲可能なテープによって連結されている。このようなテープとしては、市販の布テープまたは紙テープが適している。段ボールパネル１と段ボールパネル２とを１８０度の角度に開くと、巾が２ｍの壁が形成される。
【００１４】
次に段ボールパネル２と段ボールパネル３とは、各垂直辺の内側を屈曲可能なテープによって連結されている。このため、この部分で図示のように直角に折り曲げることができる。また段ボールパネル３と段ボールパネル４とは外側を連結され、段ボールパネル４と段ボールパネル５とは内側を連結され、以下同様に表裏交互に連結されている。このようにして一辺が２ｍの正方形の部屋を形成することができる。なお、最後の段ボールパネル８は扉として使用するため、その端部は段ボールパネル１と連結せずにフリーとしておくことが好ましい。
【００１５】
このように形成された正方形の間仕切りを基本部屋とし、これに隣接させて６枚の段ボールパネル１１〜１６からなる同一面積の増設部屋を形成することができる。
【００１６】
上記のように、同一サイズの段ボールパネル１〜８を屈曲可能なテープによって表裏交互に連結しておけば、図２に示すように平板状に折り畳むことができ、地方自治体の災害用倉庫などに大量に保管しておくうえで有利である。なおテープを内側として折り畳みは可能であるが、逆方向への折り畳みは困難であるから、表裏交互の連結が有利である。
【００１７】
図３は本考案の第２の実施形態を示す平面図である。この実施形態では、段ボールパネルは一定幅の全幅パネル２０と、その半分幅の半幅パネルとからなる。図示のように、全幅パネル２０の左右両側に半幅パネル２１が表裏交互に連結されている。この実施形態では、２ｍ×３ｍの部屋を形成することができる。
【００１８】
この実施形態の間仕切りは、図４に示すように全幅パネル２０の上に半幅パネル２１を重ねるように折りたたむことができ、保管する上で便利である。
【００１９】
なお、図３中に増築部屋として示したように、２枚の全幅パネル２０を用いることも可能である。
【００２０】
図５は本考案の第３の実施形態を示す平面図である。この実施形態は二部屋タイプの間仕切りを形成したもので、中央の全幅パネル３０の表面と裏面にそれぞれ半幅パネル３１が連結されている。このように中央の全幅パネル３０を隔壁とし、その両側にそれぞれ基本部屋を形成することもできる。
【００２１】
なお、この実施形態の間仕切りは、図６に示すように中央の全幅パネル３０の両側に折り畳むことが可能である。
【００２２】
以上の実施形態から明らかなように、本考案の避難所用間仕切りは、ダンボールパネルとテープだけで製作できるので材料費が安価であり、大量に製作しておくことができる。また単に広げるだけでよいので組み立てが容易であり、折り畳めば平面状になるので大量に保管しておくにも適するなど、実用的価値の大きいものである。
【符号の説明】
【００２３】
１〜８      ダンボールパネル
１１〜１６  ダンボールパネル
２０        全幅パネル
２１        半幅パネル
３０        中央の全幅パネル
【図１】
0003177889.tif 000003
【図２】
0003177889.tif 000004
【図３】
0003177889.tif 000005
【図４】
0003177889.tif 000006
【図５】
0003177889.tif 000007
【図６】
0003177889.tif 000008